(57)【要約】【課題】ＰｏＥ（Ｐｏｗｅｒ  ｏｖｅｒ  Ｅｔｈｅｒｎｅｔ（登録商標））電源の供給能力を超える高速なカメラのパン・チルト動作などの高い電力を必要とする時にだけ電源を切換えて、高度な機能を使えるようにする。【解決手段】ＰｏＥ電源入力と汎用電源入力とを同時に機器に接続し、該機器への電源供給をＰｏＥ電源１４と汎用電源１３とを切換えて供給するネットワークカメラの電源切換回路であって、クライアントが該ネットワークカメラの動作の制御権を取得した時に電源供給を前記ＰｏＥ電源入力１３から前記電源入力１４に切換える。【選択図】  図１
2008099026.tif 000002
【特許請求の範囲】
【請求項１】
ＰｏＥ電源入力と汎用電源入力とを同時に機器に接続し、該機器への電源供給をＰｏＥ電源と汎用電源とを切換えて供給するネットワークカメラの電源切換回路であって、
クライアントが該ネットワークカメラの動作の制御権を取得した時に電源供給を前記ＰｏＥ電源入力から前記汎用電源入力に切換えることを特徴とするネットワークカメラの電源切換回路。
【請求項２】
ＰｏＥ電源入力と汎用電源入力とを同時に機器に接続し、該機器への電源供給をＰｏＥ電源と汎用電源とを切換えて供給するネットワークカメラの電源切換回路であって、
クライアントから該ネットワークカメラのパン・チルト動作の指令を受けた時に電源供給を前記ＰｏＥ電源入力から前記汎用電源入力に切換えることを特徴とするネットワークカメラの電源切換回路。
【請求項３】
前記パン・チルト動作が終了した時には前記電源供給を前記ＰｏＥ電源入力に切換えることを特徴とする請求項２に記載のネットワークカメラの電源切換回路。
【発明の詳細な説明】
【技術分野】
【０００１】
本発明は電源切換回路に関する。詳しくは、特にＬＡＮケーブルを用いて電源を供給する規格ＩＥＥＥ８０２．３ａｆで規定される電源に準ずるＰｏＥ（Ｐｏｗｅｒ  ｏｖｅｒ  Ｅｔｈｅｒｎｅｔ（登録商標））電源とＡＣアダプタ等の汎用電源からの電力を切換えて使用する機器の電源切換回路に関する。
【背景技術】
【０００２】
データ通信用のＬＡＮケーブルを用いて機器に電力を供給するＰｏｗｅｒ  ｏｖｅｒ  Ｅｔｈｅｒｎｅｔ（登録商標）（以下、ＰｏＥ）は非特許文献１のＩＥＥＥ  ８０２．３ａｆによる規格化以降、これを利用した各種製品が市場に登場している。
【０００３】
また、ネットワークを介して、映像や音声をサーバとなるネットワークカメラから配信して、ＰＣ（Ｐｅｒｓｏｎａｌ  Ｃｏｍｐｕｔｅｒ）などのクライアントで閲覧するシステムが一般化している。
【０００４】
例えば、キヤノン社製ＷｅｂＶｉｅｗシステムなどがその好例として挙げられ、該システムには特許文献１にあるように特定のクライアントのみがカメラのパン・チルト動作を制御できるカメラ制御権が存在する。
【０００５】
従来のＰｏＥ電源入力と汎用電源入力を持ったネットワークカメラ等の機器の一例では、ＰｏＥ電源入力とＡＣアダプタ等の汎用電源入力を同時に接続するときはＰｏＥ電源が優先されていた。
【０００６】
これはＰｏＥ電源の電圧は＋４８Ｖであり、ＡＣアダプタ等の電源電圧は一般的に＋１２〜＋１３Ｖと低めであるため切換回路が作り易い事や、非特許文献1の規格にあるようにＰｏＥ電源の供給には認証等の手順が必要であることによる。また、＋４８Ｖの電源が供給されるまでには約1秒程度の時間を要するため、ＡＣアダプタ電源の不意の切断に対してＰｏＥ電源への切換がスムーズに行なわれない等の理由によるものである。
【０００７】
また、高速なパン・チルト機構を持ったネットワークカメラではＡＣアダプタで動作する時には、高速でパン・チルトの動作を行なうが、ＰｏＥ電源で動作するときにはＰｏＥの許容供給電力を超えないように、低速のパン・チルト動作などを行なっていた。
【０００８】
【特許文献１】特開平１０−４２２７８号公報
【非特許文献１】ＩＥＥＥ  ８０２．３ａｆ
【発明の開示】
【発明が解決しようとする課題】
【０００９】
本発明は、ＡＣアダプタを使用しながらも同時にＰｏＥからの給電がされていた場合に、ＰｏＥ電源優先のカメラではＰｏＥ電源の供給能力を超える高速なカメラのパン・チルト動作などの高い電力を必要とする機能が使えないという課題を解決するものである。
【課題を解決するための手段】
【００１０】
本発明の電源切換回路は、ＰｏＥ電源入力と汎用電源入力とを同時に機器に接続し、該機器への電源供給をＰｏＥ電源と汎用電源とを切換えて供給するネットワークカメラの電源切換回路であって、クライアントが該ネットワークカメラの動作の制御権を取得した時に電源供給を前記ＰｏＥ電源入力から前記汎用電源入力に切換えることを特徴とする。
また、本発明の電源切換回路は、ＰｏＥ電源入力と汎用電源入力とを同時に機器に接続し、該機器への電源供給をＰｏＥ電源と汎用電源とを切換えて供給するネットワークカメラの電源切換回路であって、クライアントから該ネットワークカメラのパン・チルト動作の指令を受けた時に電源供給を前記ＰｏＥ電源入力から前記汎用電源入力に切換えることを特徴とする。
【発明の効果】
【００１１】
本発明では、該ネットワークカメラのパン・チルト動作の制御権を取得した時に電源供給をＰｏＥ電源入力から汎用電源入力に切換えることで、ＰｏＥ電源の供給能力を超える高速なカメラのパン・チルト動作などの高い電力を必要とする機能が使えるようになる。
【００１２】
また、本発明では、クライアントから該ネットワークカメラのパン・チルト動作の指令を受けた時に電源供給をＰｏＥ電源入力から汎用電源入力に切換え、該パン・チルト動作が終了した時には電源供給をＰｏＥ電源入力に切換える。
【００１３】
これにより、ＰｏＥ電源の供給能力を超える高速なカメラのパン・チルト動作などの高い電力を必要とする時にだけ電源を切換えて、高度な機能が使えるようになる。
【発明を実施するための最良の形態】
【００１４】
（第１の実施の形態）
図1は本発明のネットワークカメラにおける電源切換回路の好適な実施形態である。図１において１０は本実施形態のネットワークカメラである。１はネットワークカメラの制御を行なうＣＰＵ部、２はイーサネット（登録商標）の通信を行なうネットワーク部である。３はレンズ及び撮像素子からなる撮像部とデジタル処理を行なう画像処理部を含んだ撮像・画像処理部である。
【００１５】
また、４はネットワークカメラのパン・チルト動作を行なう雲台のモーター駆動部、５は供給電源の状態を示すＬＥＤ等の表示部、６はＡＣアダプタ電源ＰｏＥ電源を切換える電源切換部である。６については後述でさらに詳しく述べる。
【００１６】
７はＡＣアダプタのケーブル１３からのＤＣ１３Ｖの入力コネクタであり、８はイーサネット（登録商標）ケーブル１４が接続されるＲＪ４５コネクタである。
【００１７】
図１においてネットワークカメラ１０には７または８より電力が供給される。ここで図２を用いて電源切換部６の内部の説明を行なう。
【００１８】
図２において２１はＰｏＥ電源を受電するためのＰｏＥ受電回路であり、２２はＡＣアダプタの電源供給を検出するセンサ、２３はＰｏＥ電源からの電源供給を検出するセンサ、２４はＰｏＥ電源の接続を切換えるスイッチ(ＳＷ１)で初期値はＯＮしている。
【００１９】
２５、２６はＡＣアダプタからの電源とＰｏＥからの電源を制御するダイオードで、両方の電源から同時に接続された時には電圧の高いＰｏＥ電源が優先して供給されると共にＡＣアダプタ側への逆流を防いでいる。
【００２０】
２７はＤＣ−ＤＣコンバータで機器内部の電源回路電圧に変換されて各回路に電力が供給される。２８はＣＰＵ部１との通信を行いセンサ２２やセンサ２３のセンサ情報を伝え、スイッチ２４の状態を制御する制御部である。
【００２１】
また、ダイオード２５、２６はスイッチ２４を含んでＦＥＴ等のスイッチで構成して、ＡＣアダプタとＰｏＥ電源を切換える構成にしても良い。
【００２２】
制御部２８での切換動作については図３のフローチャートをもとに説明を行なう。
【００２３】
まずステップＳ３０２においてＣＰＵ部１でカメラ制御権の取得を確認し、Ｎｏの場合はステップＳ３０３に進み２４のＳＷ１をＯＮにしてステップＳ３０２にもどる。
【００２４】
一方Ｙｅｓの場合はステップＳ３０４に進み、センサ２２でＡＣアダプタからの電源供給があるかどうかを確認する。ステップＳ３０４でＮｏの場合はステップＳ３０６に進みＳＷ１をＯＮにしてステップＳ３０２にもどる。
【００２５】
一方Ｙｅｓの場合はステップＳ３０５に進みＳＷ１をＯＦＦにしてステップＳ３０２に戻る。この制御は１のＣＰＵ部と２８の制御部によって行なわれる。
【００２６】
即ち、ＰｏＥ電源供給の許容範囲を超えない映像配信のスタンバイ状態や、パン・チルト動作を指示するクライアントのカメラ制御権が取られておらず映像配信のみを行なっている場合には、電源切換部６は８のＰｏＥ電源から電源を供給するように動作する。
【００２７】
次にカメラのパン・チルト動作を行なうため、映像のビューワ側でカメラの制御権が取られた時には、ＰｏＥ電源供給の許容範囲を超える可能性のある高速パン・チルト動作に備えて電源切換部６は７のＡＣアダプタからの電源供給に切換える。
【００２８】
ただし、ＡＣアダプタからの電源供給がない場合は８のＰｏＥ電源から供給され、ＣＰＵ部１はモータ駆動部４に対して高速パン・チルトの動作を行なわないように制御し、ＰｏＥ電源供給の許容範囲を超えないようにする。
【００２９】
さらに２２のセンサは検出されるが、２３のセンサは検出されていないようにＡＣアダプタのみからの電力供給を受けている時には、ＣＰＵ部１は図３の一連の動作を行なわないように制御する構成にしてもよい。
【００３０】
また、現在ＡＣアダプタとＰｏＥ電源のどちらから電力が供給されているか知らせるため、５のＬＥＤの点灯や色を制御するようにしても良い。
【００３１】
（第２の実施の形態）
次にパン・チルト動作の要求があったときに切換を行なう第２の実施形態について図４のフローチャートをもとに説明を行なう。ネットワークカメラ１０の構成は図１と同様であるのでここでの説明は省略する。
【００３２】
ステップＳ４０１においてＣＰＵ部１でパン・チルト動作の指令があった場合にステップＳ４０２に進み、センサ２２でＡＣアダプタからの電源供給があるかどうかを確認する。
【００３３】
ステップＳ４０２でＮｏの場合はステップＳ４０３に進みＳＷ１をＯＮにしてステップＳ４０４で低速のパン・チルト動作を行い、ステップＳ４０５でパン・チルト動作の終了の確認を行なう。
【００３４】
Ｎｏの場合はステップＳ４０５に戻り確認動作を行い、Ｙｅｓの場合はステップＳ４１０で終了する。一方ステップＳ４０２でＹｅｓの場合はステップＳ４０６でＳＷ１をＯＦＦしてステップＳ４０７で高速パン・チルト動作を行い、ステップＳ４０８でパン・チルト動作の終了の確認を行なう。
【００３５】
Ｎｏの場合はステップＳ４０９に戻り確認動作を行い、Ｙｅｓの場合はステップＳ４０９でＳＷ１をＯＮにしてからステップＳ４１０でパン・チルト動作を終了する。
【００３６】
このように本実施形態では通常ＰｏＥ電源で動いているカメラがパン・チルト動作を行なう時にだけＡＣアダプタからの電源供給の有無を確認し、供給があるときには電源をＡＣアダプタに切換える。そして、高速のパン・チルト動作を行い、パン・チルト動作が終了した時には再びＰｏＥ電源の動作に切換える構成にしたものである。
【００３７】
さらに本実施形態においても２２のセンサは検出されるが、２３のセンサは検出されていないようにＡＣアダプタのみからの電力供給を受けている時にはＣＰＵ部１は図４の一連の動作を行なわないように制御する構成にしてもよい。
【００３８】
また、現在ＡＣアダプタとＰｏＥ電源のどちらから電力が供給されているか知らせるため、５のＬＥＤの点灯や色を制御するようにしても良い。
【図面の簡単な説明】
【００３９】
【図１】本発明の実施の形態に係るネットワークカメラのブロック図である。
【図２】本発明の実施の形態に係る電源切換部の内部構成を示す図である。
【図３】本発明の第１の実施の形態に係る電源切換制御のフローチャートである。
【図４】本発明の第２の実施の形態に係る電源切換制御のフローチャートである。
【符号の説明】
【００４０】
１  ＣＰＵ部
２  ネットワーク部
３  撮像・画像処理部
４  パン・チルトモーター制御部
５  電源表示部
６  電源切換部
７  電源コネクタ
８  ＲＪ４５コネクタ
１０  ネットワークカメラ
２１  ＰｏＥ受電部
２２  センサ
２３  センサ
２４  切換スイッチ
２５  ダイオード
２６  ダイオード
２７  ＤＣ−ＤＣコンバータ
２８  電源切換制御部
【図１】
2008099026.tif 000003
【図２】
2008099026.tif 000004
【図３】
2008099026.tif 000005
【図４】
2008099026.tif 000006